(57)【要約】 【課題】担架上の被介助者が誤ってフェンスのロック機構を解除してしまうことを防止する。【解決手段】サイドフェンス４と、サイドフェンス４に設けた第１係合段部１１ｃと、該第１係合段部１１ｃに係合してサイドフェンス４の回転を阻止する第２係合段部１２を備えた第１のロック機構Ｒは、第１係合段部１１ｃが第２係合段部１２に係合したロック位置と、第２係合段部１２から離脱したロック解除の位置とに、サイドフェンス４が移動する。第２のロック機構Ｓは、ロック位置にある第１係合段部１１ｃの移動を阻止する位置と、移動を許容する位置とを選択してとることができる押し子１９を備えている。【選択図】      図３
2006034406.tif 000002
【特許請求の範囲】
【請求項１】
担架本体の側部にフェンスを設けた担架において、前記フェンスの回転を阻止する第１のロック機構と、該第１のロック機構のロック解除を阻止する第２のロック機構とを備えたことを特徴とするフェンスの多重ロック機構。
【請求項２】
前記第２のロック機構は、担架本体に載せられている被介助者によって操作できない位置に備えられていることを特徴とする請求項１に記載された担架におけるフェンスの多重ロック機構。
【請求項３】
前記第１のロック機構は、前記フェンスに設けた係止部と、該係止部に係合してフェンスの回転を阻止する係合部とを備えていて、前記フェンスは係止部が係合部に係合したロック位置と、係合部から離脱したロック解除位置とに移動可能とし、前記第２のロック機構は、ロック位置にある前記係止部の移動を阻止する位置と移動を許容する位置とを選択的にとりうるロック部を備えていることを特徴とする請求項１または２に記載された担架におけるフェンスの多重ロック機構。
【発明の詳細な説明】
【技術分野】
【０００１】
本発明は、担架の転落防止用のフェンスに設けたロック機構の不用意な解除を防止するための多重ロック機構に関する。
【背景技術】
【０００２】
一般に、介助用担架においては、担架上に載せられた老人や患者等の被介助者の転落を防止するため、担架の両側にサイドフェンスが設けられている。例えば、入浴用担架がある。介助者が患者等を担架からベッドや浴槽等に移し替える際、サイドフェンスが邪魔になるため、サイドフェンスを取り除く必要があることから、サイドフェンスには脱着または転倒できる機構が備えられている。転倒式のサイドフェンスには、サイドフェンスを転倒させる回転軸部に回転を規制するロック機構が設けられ、このロックを解除することでサイドフェンスを転倒できる。上記ロック機構の解除は、介助者の手動操作によって行うことがでる。
ロック機構として、引き上げ方式とスライド方式の二種類のロック機構が存在している。引き上げ方式によるロック機構は、サイドフェンスを真上に引き上げることでロックを解除できる。一方、スライド方式によるロック機構は、回転軸に沿ってサイドフェンスをスライド移動させることでロックを解除できる。その後、サイドフェンスを下方へ回転することができる。サイドフェンスには重量があるため、引き上げ方式は介助者にとって大きな労力が必要で扱い難いものとなっている。よって、実際には労力の小さいスライド方式のロック機構が多く採用されている（例えば、特許文献１参照）。
【特許文献１】特開平１１−３１８９８６号公報
【発明の開示】
【発明が解決しようとする課題】
【０００３】
しかしながら、上記従来のスライド方式のロック機構は、スライド方向に対する移動の規制がないことから、担架に載せられている被介助者が意図せずサイドフェンスを掴んで押してしまう場合や、肘や腕などの身体の一部がサイドフェンスに接触する場合に、サイドフェンスが不用意にスライドしてロック機構を解除してしまうおそれがある。また、引き上げ方式のロック機構においても、被介助者が誤ってサイドフェンスを持ち上げてロックを解除するおそれがある。このような場合、サイドフェンスが自重で転倒して担架から被介助者が転落するおそれがある。
【０００４】
本発明は、上記した従来の問題を考慮して、担架上の被介助者が誤ってロック機構を解除してしまうことを防止するようにした担架におけるフェンスの多重ロック機構を提供することを目的としている。
【課題を解決するための手段】
【０００５】
本発明は、担架本体の側部にフェンスを設けた担架において、フェンスの回転を阻止する第１のロック機構と、該第１のロック機構のロック解除を阻止する第２のロック機構とを備えたことを特徴としている。
本発明による多重ロック機構は、全てのロック機構が同時または連続的にロック解除されたときに初めてロック機構が解除され、サイドフェンスを回転させ倒すことができる。したがって、被介助者が誤ってサイドフェンスを動かしてロック解除することを第２のロック機構により防止できる。
【０００６】
第２のロック機構は、担架本体に載せられている被介助者によって操作できない位置に備えられていることが好ましい。
本発明による多重ロック機構は、被介助者が第２のロック機構を操作することができないため、被介助者が第１のロック機構を不用意に操作したとしても第２のロック機構を解除できないためにフェンスが動くことがない。なお、被介助者が操作できない位置とは、フェンスの外側足もと等、被介助者の手が届かない任意の位置である。
【０００７】
第１のロック機構は、フェンスに設けた係止部と、該係止部に係合してフェンスの回転を阻止する係合部とを備えていて、フェンスは係止部が係合部に係合したロック位置と、係合部から離脱したロック解除位置とに移動可能とし、第２のロック機構は、ロック位置にある係止部の移動を阻止する位置と移動を許容する位置とを選択的にとりうるロック部を備えていることが好ましい。
本発明による多重ロック機構では、介助者等がロック部を操作し係止部の移動を許容すると、係止部の移動により係合部が外れることで、第１のロック機構を解除できる。また、第２のロック機構は、弾性部材によってロック部を係止部の移動を阻止する位置に付勢する構成を採用すれば、操作を停止すると機械的にロック位置に戻るため、自然にロック解除されることがない。
【発明の効果】
【０００８】
本発明に係る担架におけるフェンスの多重ロック機構によれば、介助者等によって第２のロック機構が解除されたときに初めて第１のロック機構を解除できて、サイドフェンスを回転させ倒すことができ、被介助者が誤ってサイドフェンスを操作させロックを解除してしまうことを防止し安全性を向上できる。
【発明を実施するための最良の形態】
【０００９】
以下、本発明の実施の形態による担架におけるフェンスの多重ロック機構について、図面に基づいて説明する。図１、図２は、それぞれ本発明の第１の実施の形態による入浴用担架におけるフェンスの多重ロック機構を備えた、入浴用担架の平面図、側面図である。
この入浴用担架は、病人、寝たきりの老人、手術後の患者等被介助者を担架に載せたままの状態で入浴させるものである。この入浴用担架は、担架本体１と、担架本体１の床面に敷設された頭部側のマット２と、体部側のマット３と、被介助者の身体部を担架本体１の上に固定するためのバンド６と、足あて７を備えている。
また、被介助者の転落を防止するため、担架本体１の胴体側の両側部に垂直に取り付けたサイドフェンス４と、同じく頭部側の両側部に垂直に取り付けた上肢用サイドフェンス５が設けられている。サイドフェンス４の側部には、サイドフェンス４の転倒を可能とする回転部に多重ロック機構９が設けられ、第１のロック機構Ｒと第２のロック機構Ｓから形成されている。担架本体１は、上肢部１ａ、胴体部１ｂと下肢部１ｃで３分割されており、上肢部１ａと胴体部１ｂの境界の分割部分に支軸８が設けられていて、支軸８回りに上肢部１ａを起こすことができる。
【００１０】
次に、本発明の第１の実施の形態による担架におけるフェンスの多重ロック機構について図３乃至図５に基づいて説明する。図３は図２に示すサイドフェンス４の多重ロック機構９の拡大図、図４は図３における平面図、図５は図３に示すＡ−Ａ線断面図である。先ず、第１のロック機構Ｒについて、図面に基づいて説明する。
担架本体１の下部には、ベース部材１６が固定されている。第１のロック機構Ｒは、ベース部材１６に固定された一対のフェンス支持部材１５ａと１５ｂと、フェンス支持部材１５ａと１５ｂの上端間に接合されたロッド軸１４と、一方の端部がロッド軸１４の回りを回転可能に取り付けられ、他方の端部がサイドフェンス４の下部に接続された回転継手１１から構成されている。
回転継手１１は、継手部分に断面円形に貫通した貫通孔１１ａを形成し、この貫通孔１１ａ内にロッド軸１４を挿通してロッド軸１４回りに回転可能で、ロッド軸１４に沿ってスライド可能に支持されている。ロッド軸１４は、フェンス支持部材１５ａ、１５ｂに両端を支持されている。また、回転継手１１は、貫通孔１１ａのフェンス支持部材１５ａ側端面に凹型部１１ｂを形成し、フェンス支持部材１５ｂ側端面に第１係合段部１１ｃを形成している。
フェンス支持部材１５ａの上端部には円形の凸型部１３が設けられ、凹型部１１ｂ内に嵌合されて回転が可能である。フェンス支持部材１５ｂの上端部には第２係合段部１２が設けられ、第１係合段部１１ｃと係合することで回転継手１１の回転が規制され、第１のロック機構Ｒを形成する。
図３、図４において、サイドフェンス４が回転継手１１を介してロッド軸１４をスライドする範囲は、第１係合段部１１ｃが第２係合段部１２と係合しフェンス支持部材１５ｂと当接する位置から、凹型部１１ｂが凸型部１３と嵌合してスライド停止となるまでの位置となる。サイドフェンス４がロッド軸１４に沿って図３の左方向にスライドすると、第１係合段部１１ｃと第２係合段部１２の係合が外れることで第１のロック機構Ｒの規制が解除される。それと同時に、凹型部１１ｂと凸型部１３が嵌合し、回転継手１１はロッド軸１４を中心に回転が可能となる。
サイドフェンス４は、図３に示すように第１のロック機構Ｒの右側に位置するガイド部１７が備えられ、フェンス支持部材１５ｂとガイド部１７の間に空間１８が形成されている。サイドフェンス４をロック解除する方向にスライドすると、ガイド部１７も左方向へスライドし空間１８内に進入する。
【００１１】
次に、サイドフェンス４の第２のロック機構Ｓについて説明する。第２のロック機構Ｓは上記空間１８に位置する。図３及び図５において、ベース部材１６には、担架本体１の長手方向に装着された回転軸２１が備えられている。回転軸２１には押し子１９が回転可能に設けられ、押し子１９は回転軸２１を中心に空間１８と担架本体１の側面との間を揺動可能とされている。回転軸２１には、プレート部材２０が支持され、プレート部材２０の一端は押し子１９に接続部材２２で連結されている。そのため、プレート部材２０は、押し子１９と一体に揺動する。
さらに、プレート部材２０の一端部に第１係止ピン２３が接続され、ベース部材１６には第２係止ピン２４が接続されている。第１係止ピン２３と第２係止ピン２４には、バネ部材２５（弾性部材）が装着されている。バネ部材２５によって、プレート２０を介し押し子１９に図５で反時計回りの方向への付勢力を与える。
ベース部材１６には、固定部材２６が横方向に突出して取り付けられ、バネ部材２５によって付勢されたプレート部材２０のストッパーとなる。第２のロック機構Ｓにおけるロック位置は、プレート部材２０の一端面が固定部材２６に当接して停止する位置であり、この位置で押し子１９は、ガイド部１７とフェンス支持部材１５ｂとの空間１８に位置する。
【００１２】
図５において押し子１９の回動範囲は、実線に示す所定のロック位置から、一点鎖線に示す担架本体１の側面に当接した位置までとなり、この当接した位置がロックの解除位置となる。常態では押し子１９はロック位置にあり、サイドフェンス４をスライドさせようとすると押し子１９にガイド部１７が当接するため、サイドフェンス４のスライドが規制され第１のロック機構Ｒの解除を防止することができる。
【００１３】
次に、上記した構成からなる担架におけるフェンスの多重ロック機構の操作方法について説明する。上記第２のロック機構Ｓにおいて、図５で介助者が押し子１９をバネ部材２５の付勢に抗して押してロック位置にある空間１８から担架本体１の側面に当接するまで回動させることで第２のロック機構Ｓを解除できる。
さらに、第２のロック機構Ｓを解除状態に保持したまま、サイドフェンス４を図３の左方向にスライドさせ、凹型部１１ｂを凸型部１３に嵌合させる。これによって、第１係合段部１１ｃを第２係合段部１２から外し第１のロック機構Ｒのロックを解除でき、ガイド部１７は空間１８に進入する。押し子１９は、バネ部材２５の付勢力によって担架本体１の側面から所定のロック位置に戻る働きをするが、空間１８に進入しているガイド部１７に当接し制止される。この段階で、押し子１９の第２のロック解除位置がガイド部１７によって機械的に保持される。これにより、回転継手１１がロッド軸１４回りに回転できるようになり、サイドフェンス４を転倒させることができる。
【００１４】
再びサイドフェンス４をロックさせる場合は、転倒しているサイドフェンス４を立て、第１係合段部１１ｃと第２係合段部１２が係合するまでサイドフェンス４をロッド軸１４に沿って図３の右方向にスライドし、第１のロック機構Ｒをロックする。この右方向のスライドと共に、ガイド部１７が押し子１９から外れることで押し子１９はバネ部材２５の付勢力でロック位置に戻り、第２のロック機構Ｓはロック状態に保持される。
【００１５】
上述のように第１の実施の形態によれば、第２のロック機構Ｓがサイドフェンス４の外側で頭部側マット２とは反対側に位置するため、被介助者は第２のロック機構Ｓを触ることができない。このため、被介助者が担架本体１の上でサイドフェンス４をスライドしようとしても第１のロック機構Ｒを解除できず安全を確保できる。
【００１６】
次に、本発明の第２の実施の形態による担架におけるフェンスの多重ロック機構について図６及び図７に基づいて説明するが、第１の実施の形態と同一又は同様の部分、部材には同一の符号を用いて説明を省略する。図６は図２に示す上肢用サイドフェンス５のロック機構１０の拡大図である。図７は図６に示すロック機構１０のＢ−Ｂ線断面図である。
先ず上肢用サイドフェンス５の第１のロック機構Ｔについて、図面に基づいて説明する。
上肢用サイドフェンス５の側部には、上肢用サイドフェンス５の転倒を可能とする回転部にロック機構１０が備えられ、第１のロック機構Ｔと第２のロック機構Ｕから形成されている。
第１のロック機構Ｔは、担架本体１の側方に固定されているフェンス支持部材２７と、フェンス支持部材２７の両端部に接合され矩形に突出したキー部材２８と、キー部材２８を収容する回転継手２９から構成されている。回転継手２９は、上肢用サイドフェンス５の下部に固定され、担架本体１の長手方向に平行に一対で取り付けられている。図７より回転継手２９は、円形孔３０と、円形孔３０の上縁部から連続する凹型形状のキー溝３１とが一体に形成される。上肢用サイドフェンス５の自重によりキー溝３１とキー部材２８が噛み合うことで、キー部材２８を軸とした上肢用サイドフェンス５の転倒方向の回動が規制され、第１のロック機構Ｔがロックされる。  
回転継手２９が上方に引き上げられると、キー部材２８はキー溝３１から外れ、円形孔３０がキー部材２８の位置に移動してくる。キー部材２８は円形孔３０内で相対的に回転自由となり、第１のロック機構Ｔが解除され、上肢用サイドフェンス５の転倒が可能となる。
【００１７】
次に、上肢用サイドフェンス５の第２のロック機構Ｕについて説明する。
第２のロック機構Ｕは、第１のロック機構Ｔに隣接し担架本体１の外側下部に取り付けられた解除ノブ３２と、解除ノブ３２の第１のロック機構Ｔ側端部に設けられている突起部材３３から構成されている。解除ノブ３２は、担架本体１の長手方向にスライド可能に取り付けられており、バネ部材等（図の記載なし）の弾性部材により図６の左方向に付勢される機構が設けられている。
第１のロック機構Ｔがロック状態あるときに、円形孔３０とキー溝３１で形成される貫通部のうちキー部材２８の占有範囲を除いた空間が空間３４となる。キー部材２８がキー溝３１に嵌合する位置にあり、第１のロック機構Ｔがロック状態にあるとき、突起部材３３は空間３４に挿入することができ、第２のロック機構Ｕが形成される。よって、突起部材３３が空間３４に挿入された位置にあることで回転継手２９の引き上げを規制し、第１のロック機構Ｔの解除を防止するものである。
【００１８】
第２のロック機構Ｕのロック解除は、介助者が解除ノブ３２を図６の右側にスライドさせることで、突起部材３３が空間３４から外れ、第２のロック機構Ｕを解除でき、上肢用サイドフェンス５の引き上げが可能となる。続いて、介助者が上肢用サイドフェンス５を引き上げることで、キー部材２８がキー溝３１より外れ空間３４に位置することになり第１のロック機構Ｔを解除でき、上肢用サイドフェンス５を倒すことができる。
【００１９】
再び上肢用サイドフェンス５をロックさせる場合は、転倒している上肢用サイドフェンス５を立て、次に押し下げることによりキー部材２８とキー溝３１が噛み合わされ第１のロック機構Ｔがロックされる。上肢用サイドフェンス５の押し下げと共に、空間３４にあったキー部材２８がキー溝３１に移動することで突起部材３３はバネ部材の付勢力で空間３４内に挿入され、第２のロック機構Ｕはロック状態に保持される。
【００２０】
上述した第２の実施の形態によれば、第２のロック機構Ｕが上肢用サイドフェンス５の外側に位置するため、被介助者は第２のロック機構Ｕを触ることができない。このため、被介助者が担架本体１の上で上肢用サイドフェンス５を引き上げようとしても第１のロック機構Ｔを解除できず安全を確保できる。
【００２１】
以上、本発明に係る担架におけるフェンスの多重ロック機構の実施の形態について説明したが、本発明は上記した実施の形態に限定されるものではなく、その趣旨を逸脱しない範囲で変更可能である。例えば、上記した各実施の形態では、第２のロック機構としているが、第２のロック機構に加えて他のロック機構を設けてもよい。また、上記した実施の形態では第２のロック機構の取り付け位置は、担架両側面に備えられ、担架の外方より操作されるものであるが、これに限定されることなく、担架の下部等の被介助者によって容易に操作できない位置にあればよい。
さらに、第２の実施の形態では、上肢用サイドフェンス５にある第２のロック機構は担架の外側に取り付けてあるが、被介助者の腕や手の位置と近い距離となっているため、第１の実施の形態のロック機構９と同様にサイドフェンス４の外側で被介助者の脚部付近等に設けられることが望ましい。
【図面の簡単な説明】
【００２２】
【図１】本発明の第１の実施の形態による入浴用担架の平面図である。
【図２】図１に示す入浴用担架の側面図である。
【図３】図２に示す入浴用担架のロック機構の拡大図である。
【図４】図３に示す入浴用担架の平面図である。
【図５】図３に示す入浴用担架のＡ−Ａ線断面図である。
【図６】第２の実施の形態による担架の多重ロック機構に関するものであって、図２に示す上肢用サイドフェンスのロック機構の拡大図である。
【図７】図６に示す入浴用担架のロック機構のＢ−Ｂ線断面図である。
【符号の説明】
【００２３】
１    担架本体  
４    サイドフェンス
５    上肢用サイドフェンス
８    支軸
９    ロック機構（多重ロック機構）
１０  ロック機構（多重ロック機構）  
１１  回転継手
１１ｃ  第１係合段部（係止部）
１２  第２係合段部（係合部）
１４  ロッド軸  
１５  フェンス支持部材  
１７  ガイド部
１８  空間
１９  押し子（ロック部）
２７  フェンス支持部材
２８  キー部材（係止部）
２９  回転継手
３０  円形孔
３１  キー溝（係合部）
３２  解除ノブ
３３  突起部材（ロック部）
３４  空間
Ｒ  第１のロック機構
Ｓ  第２のロック機構
Ｔ  第１のロック機構
Ｕ  第２のロック機構
【図１】
2006034406.tif 000003
【図２】
2006034406.tif 000004
【図３】
2006034406.tif 000005
【図４】
2006034406.tif 000006
【図５】
2006034406.tif 000007
【図６】
2006034406.tif 000008
【図７】
2006034406.tif 000009